(57)【特許請求の範囲】
【請求項１】
電話回線が接続されたデータ通信用オフトーク宅内装置がモデムを介してデータ宅内装置に接続され、前記データ宅内装置が電話通信を行う場合に前記モデムからデータ通信用オフトーク宅内装置にダイヤル信号が送信される一方で前記データ宅内装置が前記電話回線を使用して電話通信ではないオフトーク通信を行う場合にはフッキング信号が送信されるときのデータ通信用オフトーク宅内装置であって、
前記ダイヤル信号が送信されたときは前記データ宅内装置が電話通信を行えるように動作する一方で前記フッキング信号が送信されたときは前記データ宅内装置がオフトーク通信を行えるように動作することを特徴とするデータ通信用オフトーク宅内装置。
【請求項２】
電話回線が接続されたデータ通信用オフトーク宅内装置がモデムを介してデータ宅内装置に接続され、前記データ宅内装置が電話通信を行う場合に前記モデムからデータ通信用オフトーク宅内装置に第１の形式のダイヤル信号が送信される一方で前記データ宅内装置が前記電話回線を使用して電話通信ではないオフトーク通信を行う場合には第２の形式のダイヤル信号が送信されるときのデータ通信用オフトーク宅内装置であって、
前記第１の形式のダイヤル信号が送信されたときは前記データ宅内装置が電話通信を行えるように動作する一方で前記第２の形式のダイヤル信号が送信されたときは前記データ宅内装置がオフトーク通信を行えるように動作することを特徴とするデータ通信用オフトーク宅内装置。
【発明の詳細な説明】
【０００１】
【産業上の利用分野】
本発明は、パソコン等のデータ宅内装置が電話回線を使用してパソコン通信等の電話通信をしたり、パソコン通信をしていない時にオフトーク通信によりデータを受信する場合の、データ通信用オフトーク通信宅内装置の配線構成および、装置構成に関するものである。
【０００２】
【従来の技術】
従来、パソコンが電話回線を使用してパソコン通信等の電話通信をしたり、パソコン通信をしていない時にオフトーク通信によりデータを受信する場合には、パソコン通信用のモデムとオフトーク通信用のモデムを、それぞれ別個に持つ方法があった。
しかし、この方法はモデムが２台必要であり、システムの経済化ができないこと、パソコンのＲＳ２３２Ｃポートを使用のたびに切り換えるなど操作が面倒であること、またはパソコンのＲＳ２３２Ｃポートが２つ必要であることなどの欠点があった。
【０００３】
また、モデムを１つにする方法としては、図５に示す方法があったが配線が複雑で、システム価格が高い欠点があった。
図５は装置間の接続構成を図示したもので、１は電話回線、２は電話回線用モジュラジャック、３はデータ通信用オフトーク通信宅内装置、４はデータ通信用オフトーク通信宅内装置の出力、５はモジュラコード、６はモジュラジャック、７はモデム、８はＲＳ２３２Ｃ用コネクタ、９はＲＳ２３２Ｃ用ケーブル、１０はパソコンのＲＳ２３２Ｃコネクタで９ピンまたは２５ピンのＤ−ｓｕｂコネクタ、１１はパソコン、１２および１３はＲＳ２３２Ｃ用コネクタである。
図６は３のデータ通信用オフトーク通信宅内装置の一部を図示したもので、３１はオフトーク通信情報のアンプ、３２は電話回線とオフトーク通信出力を切り換えるリレーの接点、３５はＣＰＵ等から構成される制御回路、３６は接点３２のリレーである。
【０００４】
図６の従来の実施例では、パソコン１１からのＲＳ２３２Ｃの信号のうち、通常のデータ通信で使用しない信号（例えば、ＤＴＲ信号）を利用して、制御回路３５からリレー３６を駆動し、パソコンがオフトーク通信を受信するか、電話回線を使用してパソコン通信等の電話通信をするかを制御していた。
なおこのＲＳ２３２Ｃの信号は、データ通信用オフトーク通信宅内装置３では、例えばＤＴＲ信号だけを監視しており、その他の信号はパソコン１１からデータ通信用オフトーク通信宅内装置３を経由して、モデム７に接続されている。
このため、パソコン、データ通信用オフトーク通信宅内装置、モデム間の接続には、ＲＳ２３２Ｃの多芯のケーブルが往復して２本必要になる他、モジュラコードが必要になり配線構成が複雑になる欠点があった。
【０００５】
従来のデータ通信用オフトーク通信宅内装置は、このように構成されていたため、モデムが２台必要になったり、多芯のＲＳ２３２Ｃケーブルが２本とモジュラコードが１本必要になり、装置の接続が煩雑であり接続に時間がかかると共に、システムの価格が高いという欠点があった。
【０００６】
【発明が解決しようとする課題】
本発明は、以上の問題点を解決するものであり、データ通信用オフトーク通信宅内装置とモデム間を通常の２芯のモジュラコードで接続すると共に、モデムとパソコン間は１本の通常のＲＳ２３２Ｃケーブルで接続しており、パソコン側からパソコン通信等の電話通信とオフトーク通信によるデータ受信とに切り換えて使用することを目的としている。
なお、最近のようにモデムを内蔵したパソコンの場合には、通常の２芯のモジュラコード１本だけでパソコンのモデム部とデータ通信用オフトーク通信宅内装置間を接続でき、しかも従来と同様に、パソコン側からパソコン通信等の電話通信と、オフトーク通信によるデータ受信とに切り換えて使用することを目的としている。
【０００７】
【課題を解決するための手段】
請求項１記載のデータ通信用オフトーク宅内装置は、電話回線が接続されたデータ通信用オフトーク宅内装置がモデムを介してデータ宅内装置に接続され、前記データ宅内装置が電話通信を行う場合に前記モデムからデータ通信用オフトーク宅内装置にダイヤル信号が送信される一方で前記データ宅内装置が前記電話回線を使用して電話通信ではないオフトーク通信を行う場合にはフッキング信号が送信されるときのデータ通信用オフトーク宅内装置であって、
前記ダイヤル信号が送信されたときは前記データ宅内装置が電話通信を行えるように動作する一方で前記フッキング信号が送信されたときは前記データ宅内装置がオフトーク通信を行えるように動作することを特徴とする。
請求項２記載のデータ通信用オフトーク宅内装置は、電話回線が接続されたデータ通信用オフトーク宅内装置がモデムを介してデータ宅内装置に接続され、前記データ宅内装置が電話通信を行う場合に前記モデムからデータ通信用オフトーク宅内装置に第１の形式のダイヤル信号が送信される一方で前記データ宅内装置が前記電話回線を使用して電話通信ではないオフトーク通信を行う場合には第２の形式のダイヤル信号が送信されるときのデータ通信用オフトーク宅内装置であって、前記第１の形式のダイヤル信号が送信されたときは前記データ宅内装置が電話通信を行えるように動作する一方で前記第２の形式のダイヤル信号が送信されたときは前記データ宅内装置がオフトーク通信を行えるように動作することを特徴とする。
【０００８】
【作用】
パソコンが電話回線を使用してパソコン通信等の電話通信を行う場合には、通常の手順と同様にモデムに対して回線閉結コマンドや、ダイヤルコマンドを送出すればよい。また、パソコンがオフトーク通信によりデータを受信する場合には、モデムに対して回線をフッキングするコマンドを送出するか、または回線閉結コマンドの後に回線開放コマンドつづいて回線閉結コマンドを送出すればよく、パソコンから簡単な制御でこの機能を実現することができる。
これらのコマンドは、ＡＴコマンドとして標準化されており、これらを使用すればよい。
このようにモデムを２台使用することもなく、また各装置間のケーブルを減少させても、パソコンから電話回線を使用してパソコン通信等の電話通信を行ったり、パソコン通信をしない時にはオフトーク通信によるデータを受信をすることができる。
【０００９】
【実施例】
図１は、本発明の第一の実施例を示したものであり、１は電話回線、２は電話回線用モジュラジャック、３はデータ通信用オフトーク通信宅内装置、４はデータ通信用オフトーク通信宅内装置の出力用モジュラジャック、５はモジュラコード、６はモジュラジャック、７はモデム、８および１０はＲＳ２３２Ｃ用コネクタ、９はＲＳ２３２Ｃ用ケーブル、１１はパソコンである。
図２は、３のデータ通信用オフトーク通信宅内装置の内部回路の一部を図示したもので、３１はオフトーク通信情報のアンプ、３２は電話回線とオフトーク通信出力を切り換えるリレーの接点、３３はモデム７への給電回路、３４は給電電圧または電流の監視回路、３５はＣＰＵ等から構成される制御回路、３６は接点３２のリレーである。
【００１０】
つぎにこの第一の実施例の動作について、図３および図４のタイムチャートで説明する。
図３の（ａ）は、パソコン１１がオフトーク通信でデータを受信している状態から、パソコン通信等の電話通信を開始する場合を図示しており、この場合にはモデム７は通常のように回線５のループを閉結する。
データ通信用オフトーク通信宅内装置３は、電圧または電流を監視する監視回路３４で回線ループの閉結を監視しており、回線ループが閉結されたらリレー３６を動作させる。
リレーの接点３２は、図示と反対方向に接続されて、電話回線がモデム７に接続され電話発信が可能な状態になる。
データ通信用オフトーク通信宅内装置３は、リレー３６を動作させた後も一定時間回線５の状態を監視しており、ループの断続がない場合には制御回路３５でパソコン通信等の電話通信と判断する。
パソコン通信等の電話発信の場合には、この監視時間中にダイヤルが到来するが、ダイヤルパルスが到来しても、１０ｐｐｍや２０ｐｐｍと早いパルスであるため、制御回路３５は容易に識別可能である。
図３の（ｂ）は、パソコン１１が未使用状態からパソコン通信等の電話通信を開始する場合を図示しており、この場合にもモデム７は前述の（ａ）のように回線５のループを閉結する。
図３（ｃ）は、パソコン通信等の電話通信を終了後、再度パソコン通信等の電話通信を行う場合を図示しており、この場合にもモデム７は前述の（ａ）のように回線５のループを閉結する。
【００１１】
図４（ａ）は、パソコン１１がパソコン通信等の電話通信を終了して、オフトーク通信によりデータを受信する場合を図示しており、この場合にはモデム７は回線５を閉結後にフッキングを行う。
データ通信用オフトーク通信宅内装置３は、電圧または電流等を監視する監視回路３４で回線５を監視しており、回線ループが閉結されると電話発信と同様にリレー３６を動作させる。
そして、回線５の状態を一定時間監視しており、フッキング信号（ループの断
続）が検出されると制御回路３５でオフトーク通信と判断して、リレー３６を復旧させる。リレーの接点３２は、一時電話回線側に切り替わった後復旧するため、オフトーク通信の情報がモデム７を経由してパソコン１１に伝達される。
図４（ｂ）は、パソコンが未使用状態から、オフトーク通信を開始する場合を図示しており、この場合にもモデム７は回線５を閉結後にフッキングを行う。
図４（ｃ）は、パソコンがオフトーク通信状態を中断したあと、再度オフトーク通信を開始する場合を図示しており、この場合にもモデム７は回線５を閉結後にフッキングを行う。
図４の場合には、パソコン通信等の電話通信ではないためダイヤル信号は到来しないし、フッキング信号とダイヤル信号は容易に識別可能である。
【００１２】
次に、第二の実施例について説明する。接続構成は、図１の実施例１と同様であるが、パソコンがパソコン通信等の電話通信を行う場合には、当然電話回線のダイヤル形式と合っている。
例えば、電話回線がＰＢダイヤル方式であれば、パソコン通信等の電話通信を行う場合にＰＢダイヤルを送出する。パソコンがオフトーク通信を行う場合には、ＤＰ方式のダイヤルを使用すれば、両通信の識別が容易であると共に、パソコン通信等の電話通信への影響もない。
なお、電話回線がＤＰダイヤル方式であれば、パソコン通信等の電話通信を行う場合にＤＰダイヤルを送出し、パソコンがオフトーク通信を行う場合には、ＰＢ方式のダイヤルを使用すれば、両通信の識別が容易であると共に、電話通信への影響もない。
この第二の実施例の場合には、図２のモデムの回線制御状態を監視する回路３４で容易に識別可能である。具体的には、ＤＰダイヤル信号はフォトカップラなどで受信し、ＰＢダイヤル信号の場合にはＰＢ信号受信ＬＳＩを使用すれば、容易に回路を構成することができる。
また、一般のモデムは、ＤＰダイヤル方式の回線でもＰＢダイヤル方式の回線でも利用可能であるため、モデムの改造も必要がなくパソコンが電話通信とオフトーク通信を選択して利用できる特徴がある。
【００１３】
【発明の効果】
このような構成になっているため、第一の実施例ではパソコンが電話回線を使用してパソコン通信等の電話通信を行う場合には、通常の手順と同様にモデムに対して回線閉結コマンドや、ダイヤルコマンドを送出すればよい。
また、パソコンがオフトーク通信によりデータを受信する場合には、モデムに対して回線をフッキングするコマンドを送出するか、または回線閉結コマンドの後に回線開放コマンドつづいて回線閉結コマンドを送出すればよく、パソコンからＡＴコマンドを利用して簡単な制御で、この機能を実現することができる。
第二の実施例では、ＤＰ方式のダイヤルを使用するか、ＰＢ方式のダイヤルを使用するかのＡＴコマンドをパソコンからモデムに送出すればよく、容易に実現が可能である。
このようにモデムを２台使用することもなく、また各装置間のケーブルを減少させたが、パソコンから電話回線を使用してパソコン通信等の電話通信を行ったり、パソコン通信をしない時にはオフトーク通信によるデータを受信をすることができるという効果がある。
特に、最近のようにモデムを内蔵したパソコンの場合には、パソコンのモデム部とデータ通信用オフトーク通信宅内装置間を、通常の２芯のモジュラコード１本だけで接続でき、しかも従来と同様にパソコン側からパソコン通信とオフトーク通信によるデータ受信とに切り換えて使用することができるという効果がある。
【図面の簡単な説明】
【図１】は本発明の第一の実施例の装置間接続構成を示した図である。
【図２】は、第一の実施例のオフトーク通信宅内装置の回路構成の部分を示した図である。
【図３】は、第一の実施例でパソコン通信を開始する場合のタイムチャートを示した図である。
【図４】は、第一の実施例でオフトーク通信を開始する場合のタイムチャートを示した図である。
【図５】は、従来の実施例の装置間接続構成を示した図である。
【図６】は、従来のオフトーク通信宅内装置の回路構成の部分を示した図である。
【符号の説明】
１は電話回線
２は電話回線用モジュラジャック
３はデータ通信用オフトーク通信宅内装置
４はデータ通信用オフトーク通信宅内装置の出力モジュラジャック
５はモジュラコード
６はモジュラジャック
７はモデム
８および１０および１２および１３はＲＳ２３２Ｃ用コネクタ
９はＲＳ２３２Ｃ用ケーブル
１１はパソコン等のデータ宅内装置
３１はオフトーク情報用アンプ
３２は電話回線とオフトーク情報出力を切り換えるリレーの接点
３３はモデムへの給電回路
３４はモデムの回線制御状態を監視する監視回路
３５はＣＰＵなどから構成される制御回路
３６はリレー
【図１】
0003590210.tif 000002
【図２】
0003590210.tif 000003
【図３】
0003590210.tif 000004
【図４】
0003590210.tif 000005
【図５】
0003590210.tif 000006
【図６】
0003590210.tif 000007